(57)【要約】【課題】スクリーンの背面へ映像を反射させる鏡が静電気により帯電し、筐体内に侵入した塵埃が鏡に付着することを防止し、塵埃の影が投影された映像の画質が悪化することを防止できるリアプロジェクタを提供する。【解決手段】導電性の第１固定金具４０で鏡２０の下辺部の表裏面を挟持し、導電性の第２固定金具５０で第１固定金具４０を上部筐体２に押さえつけた状態で、ネジ６２、６２により第２固定金具５０を上部筐体２に固定する。ネジ６２、６２の一方に卵ラグ６０及びリード線６１を装着し、リード線を接地電位に接続された金属シャーシに接続する。【選択図】図４
2007101889.tif 000002
【特許請求の範囲】
【請求項１】
映像を投射するための光学エンジンを収容し、接地電位に接続される接地部を有する筐体と、該筐体に固定手段により固定される鏡とを備え、該鏡に映像を反射させてスクリーンの背面に投影するリアプロジェクタにおいて、
前記固定手段は、導電性であり、前記鏡に接触する接触部分を有し、
前記固定手段を前記筐体の前記接地部に接続して接地する接地部材を備えること
を特徴とするリアプロジェクタ。
【請求項２】
前記鏡は表面に導電膜を有し、
前記固定手段は、前記鏡の導電膜に接触するようにしてある請求項１に記載のリアプロジェクタ。
【請求項３】
前記固定手段は、前記鏡の表面及び裏面に接触し、前記鏡を挟持する第１の固定部材を有する請求項１又は請求項２に記載のリアプロジェクタ。
【請求項４】
前記第１の固定部材には突起部が形成してあり、
該突起部が前記鏡に接触するようにしてある請求項３に記載のリアプロジェクタ。
【請求項５】
前記第１の固定部材に接して前記鏡を固定し、前記接地部材により接地される第２の固定部材を備える請求項３又は請求項４に記載のリアプロジェクタ。
【請求項６】
前記鏡は多角形状をなし、
前記固定手段は、
前記第１の固定部材が、前記鏡の一辺部を固定するようにしてあり、
前記鏡の他辺部を固定し、前記接地部に接続されて接地される他の固定部材を有する請求項３乃至請求項５のいずれか１つに記載のリアプロジェクタ。
【発明の詳細な説明】
【技術分野】
【０００１】
本発明は、鏡に反射させた映像をスクリーンの背面に投射するリアプロジェクタに関し、更に詳しくは、鏡に埃が付着して投射される映像の画質が悪化することを防止できるリアプロジェクタに関する。
【背景技術】
【０００２】
近年、大型の画面を有する映像の表示装置の１つとして、リアプロジェクタが実用化されている。リアプロジェクタは、筐体の前面にスクリーンを設け、筐体内部に鏡を設け、ＤＭＤ又は液晶パネル等により形成されて投射レンズから投射された映像を鏡に反射させ、スクリーンの背面に投射して映像を表示する。筐体内部で鏡に映像を反射させる構成であるため、筐体の奥行きを短くでき、リアプロジェクタを薄型化できる。
【０００３】
しかし、投射レンズからスクリーンまでの光路上に塵埃が侵入した場合、スクリーンに塵埃の影が投影される虞がある。また、スクリーンへ映像を反射させる鏡は、静電気により帯電し、表面に塵埃が付着することがある。鏡の表面に付着した塵埃の量が多い場合には、スクリーンに塵埃の影が投影されるという問題のほかに、スクリーンに表示される映像の輝度が低下するという問題が発生する虞がある。特に、リアプロジェクタの内部は動作に伴って高温となるため、挟体内に空気を対流させて冷却することがあり、この場合には、対流する空気との摩擦によって、鏡の表面がより帯電しやすく、より塵埃が付着しやすくなる。
【０００４】
特許文献１においては、スクリーン及び鏡を有する上部キャビネットの側面に、開閉可能な蓋を設け、蓋を開いて上部キャビネット内のスクリーン及び鏡を清掃することができるリアプロジェクションテレビが提案されている。また、上部キャビネットの前面に設けられたスクリーンを扉のように上下方向に開閉できるようにして、上部キャビネット内をより清掃し易くした構成についても提案されている。
【０００５】
特許文献２においては、スクリーンの背面に沿って左右方向に摺動する塵除去ブラシをプロジェクタの筐体内に設け、塵除去ブラシを手動又はモータにより摺動させることで、スクリーンの背面に付着した塵を除去することができるプロジェクタのスクリーン塵除去装置が提案されている。
【０００６】
特許文献３においては、スクリーン及び鏡を振動モータにより振動させ、スクリーン及び鏡に付着した塵埃を除去する投影型表示装置の塵埃除去方法が提案されている。振動モータによる塵埃の除去は、電源投入の後から、光が安定してスクリーンに映像が表示されるまでの期間に自動的に行い、ユーザがリモートコントローラのスイッチを操作することで行うこともできる。
【特許文献１】特開平１０−９７０００号公報
【特許文献２】特開２００２−４０５６１号公報
【特許文献３】特開２００４−２１９９４５号公報
【発明の開示】
【発明が解決しようとする課題】
【０００７】
しかしながら、特許文献１に記載のリアプロジェクションテレビにおいては、ユーザが上部キャビネットに設けられた蓋を開いて上部キャビネット内を清掃するため、清掃時に上部キャビネットの外部から内部へ塵埃が侵入する虞があり、侵入した塵埃によってより画質が悪化する虞がある。
【０００８】
特許文献２に記載のスクリーン塵除去装置においては、塵除去ブラシをスクリーンの背面に沿って摺動させる構成であるため、構造が複雑であり、部品点数が増大し、プロジェクタのコストが増大する虞がある。また、塵除去ブラシを摺動させることによってスクリーンを傷つける虞があり、スクリーンの傷が影として投影され、より画質が悪化する虞がある。
【０００９】
特許文献３に記載の投影型表示装置の塵埃除去方法においては、スクリーン及び鏡を振動モータで振動させるため、スクリーン及び鏡の設置位置及び角度等が振動によりずれる虞がある。また、振動モータ及びこれを制御する制御回路等を付加しなければならないため、コストが増大する虞がある。
【００１０】
本発明は、斯かる事情に鑑みてなされたものであって、その目的とするところは、導電性を有する固定手段を鏡に接触させて鏡を筐体に固定し、固定手段を筐体の接地部分に接続する構成とすることにより、鏡に帯電する静電気を接地部分に流すことができ、帯電により鏡に塵埃が付着することを防止できるリアプロジェクタを提供することにある。
【００１１】
また本発明の他の目的とするところは、鏡の表面に金属膜を形成し、固定手段が金属膜に接触する構成とすることにより、より確実に静電気を接地部分に流すことができ、帯電により鏡に塵埃が付着することをより確実に防止できるリアプロジェクタを提供することにある。
【００１２】
また本発明の他の目的とするところは、鏡の表裏面に接触して鏡を挟持する第１の固定部材により鏡を固定する構成とすることにより、鏡を安定して強固に固定することができるリアプロジェクタを提供することにある。
【００１３】
また本発明の他の目的とするところは、第１の固定部材に形成された突起部が鏡の表面に接触する構成とすることにより、鏡と第１の固定部材とがより確実に接触し、より確実に静電気を接地部分に流すことができるリアプロジェクタを提供することにある。
【００１４】
また本発明の他の目的とするところは、鏡を挟持する第１の固定部材を更に第２の固定部材で固定し、第２の固定部材を筐体の接地部分に接続する構成とすることにより、鏡を筐体により安定して強固に固定することができ、鏡から第１の固定部材及び第２の固定部材を介して筐体の接地部分へ静電気を流すことができるリアプロジェクタを提供することにある。
【００１５】
また本発明の他の目的とするところは、鏡の一辺部を第１の固定部材及び第２の固定部材で固定して接地し、更に他辺部を固定する固定部材を筐体の接地部分に接続する構成とすることにより、より確実に静電気を接地部分に流すことができるリアプロジェクタを提供することにある。
【課題を解決するための手段】
【００１６】
本発明に係るリアプロジェクタは、映像を投射するための光学エンジンを収容し、接地電位に接続される接地部を有する筐体と、該筐体に固定手段により固定される鏡とを備え、該鏡に映像を反射させてスクリーンの背面に投影するリアプロジェクタにおいて、前記固定手段は、導電性であり、前記鏡に接触する接触部分を有し、前記固定手段を前記筐体の前記接地部に接続して接地する接地部材を備えることを特徴とする。
【００１７】
本発明においては、導電性の固定手段により鏡を筐体に固定する。また、固定手段を筐体の接地部分に接続する。鏡の表面に発生した静電気は、固定手段から筐体の接地部分へと流れるため、鏡の表面が帯電しにくくなる。よって、鏡の表面に塵埃が付着しにくくなり、スクリーンに投影される映像に塵埃の影が投射されにくくなる。
【００１８】
また、本発明に係るリアプロジェクタは、前記鏡が表面に導電膜を有し、前記固定手段は、前記鏡の導電膜に接触するようにしてあることを特徴とする。
【００１９】
本発明においては、表面に金属膜が形成され、金属膜が光を反射する鏡を用いる。表面の金属膜に固定手段が接触して静電気を接地部分へ流す。表面がガラス又は合成樹脂等の鏡と比較して、鏡の表面の導電性が高いため、表面に帯電する静電気を接地部分に流しやすい。
【００２０】
また、本発明に係るリアプロジェクタは、前記固定手段が、前記鏡の表面及び裏面に接触し、前記鏡を挟持する第１の固定部材を有することを特徴とする。
【００２１】
本発明においては、鏡の表裏面に接触して挟持する第１の固定部材を用いて鏡を固定する。第１の固定部材が鏡の表裏面に接触するため、接触部分が増し、より静電気を流しやすくなる。また、鏡を挟持するため、鏡を安定して強固に固定できる。
【００２２】
また、本発明に係るリアプロジェクタは、前記第１の固定部材には突起部が形成してあり、該突起部が前記鏡に接触するようにしてあることを特徴とする。
【００２３】
本発明においては、第１の固定部材に突起部を形成し、突起部を鏡の表面に接触させる。突起部により、鏡と第１の固定部材との接触をより確実に行うことができる。
【００２４】
また、本発明に係るリアプロジェクタは、前記第１の固定部材に接して前記鏡を固定し、前記接地部材により接地される第２の固定部材を備えることを特徴とする。
【００２５】
本発明においては、鏡を第１の固定部材で挟持し、鏡及び第１の固定部材を第２の固定部材で筐体に固定する。また、第２の固定部材を筐体の接地部分に接続する。鏡の表面に帯電する静電気は、第１の固定部材から第２の固定部材へ流れ、第２の固定部材から筐体の接地部分へ流れる。
【００２６】
また、本発明に係るリアプロジェクタは、前記鏡が多角形状をなし、前記固定手段は、前記第１の固定部材が、前記鏡の一辺部を固定するようにしてあり、前記鏡の他辺部を固定し、前記接地部に接続されて接地される他の固定部材を有することを特徴とする。
【００２７】
本発明においては、多角形の鏡の一辺部を第１の固定部材で固定し、第２の固定部材で固定して接地する。更に、鏡の他辺部を筐体に固定するための固定部材を接地電位に接続する。鏡の一辺のみでなく、鏡の他辺を含めて周囲を接地できるため、鏡に帯電する静電気を鏡の周囲から接地部分へ流すことができる。
【発明の効果】
【００２８】
本発明による場合は、導電性を有する固定手段を鏡に接触させて鏡を筐体に固定し、固定手段を筐体の接地部分に接続する構成とすることにより、鏡に帯電する静電気を固定手段を介して接地部分に流すことができ、帯電により鏡に塵埃が付着することを防止できるため、スクリーンに投影される映像に塵埃の影が投影されることを防止でき、また、投影される映像の輝度が低下することを防止できる。よって、ユーザはより高画質の映像を鑑賞することができる。
【００２９】
また、本発明による場合は、鏡の表面に金属膜を形成し、固定手段が金属膜に接触する構成とすることにより、鏡の表面の導電性が高まり、鏡の表面に帯電する静電気を固定手段を介して接地電位に流しやすくなるため、鏡の表面に塵埃が付着することをより確実に防止することができ、スクリーンに投影される映像の画質をより高める事ができる。
【００３０】
また、本発明による場合は、鏡の表裏面に接触して鏡を挟持する第１の固定部材により鏡を固定する構成とすることにより、第１の固定部材が鏡の表裏面に接触するため、接触部分が増し、より静電気を流しやすく、鏡の表面に塵埃が付着することをより確実に防止することができる。また、鏡を挟持するため、鏡を安定して強固に固定でき、リアプロジェクタの筐体に振動が加わった場合に、鏡の配設位置又は角度等がずれることを防止できる。
【００３１】
また、本発明による場合は、第１の固定部材に形成された突起部が鏡の表面に接触する構成とすることにより、突起部により、鏡と第１の固定部材との接触をより確実に行うことができるため、より確実に静電気を接地部分に流すことができ、スクリーンに投影される映像の画質をより高める事ができる。
【００３２】
また、本発明による場合は、鏡を挟持する第１の固定部材を更に第２の固定部材で固定し、第２の固定部材を筐体の接地部分に接続する構成とすることにより、より強固に鏡を筐体に固定することができるため、リアプロジェクタの筐体に振動が加わった場合に、鏡の配設位置又は角度等がずれることを確実に防止できる。また、鏡の表面に帯電する静電気は、第１の固定部材から第２の固定部材へ流れ、第２の固定部材から筐体の接地部分へ流れるため、鏡の表面に塵埃が付着することをより確実に防止することができ、スクリーンに投影される映像の画質を高める事ができる。
【００３３】
また、本発明による場合は、多角形の鏡の一辺部を第１の固定部材及び第２の固定部材で固定して接地し、更に他辺部を固定する固定部材を筐体の接地部分に接続する構成とすることにより、鏡の一辺部のみでなく、鏡の他辺部を含めて周囲を接地でき、鏡に帯電する静電気を鏡の周囲から接地部分へ流すことができるため、鏡の表面に塵埃が付着することをより確実に防止することができ、スクリーンに投影される映像の画質を高める事ができる。
【発明を実施するための最良の形態】
【００３４】
（実施の形態１）
以下、本発明をその実施の形態を示す図面に基づき具体的に説明する。図１は、本発明に係るリアプロジェクタの構成を示す模式的側断面図である。図において１はリアプロジェクタの筐体であり、筐体１は上部筐体２及び下部筐体３を上下に重ねた構造である。下部筐体３は略直方体をなす合成樹脂製のものであり、上面を後ろ側から前側へ向けて上から下に若干傾斜させてある。また、下部筐体３の内面は導電性を有する金属シャーシ５により補強され、上部筐体２を支持するための十分な強度を確保してある。
【００３５】
下部筐体３内には、商用電源に電源コードを介して接続され、リアプロジェクタの各部に電力を供給する電源ユニット９と、ＤＭＤ又は液晶パネル等の光変調素子、鏡及びプリズム等の光学部材並びに光源をなすランプ等を有し、映像を形成する光学ユニット８と、光学ユニット８にて形成された映像を拡大して投射する投射レンズ７と、光学ユニット８の動作を制御するための電気回路を有する制御回路部１０とが収容されている。また、金属シャーシ５は、電源ユニット９の接地電位に図示しないリード線にて接続され、接地されている。
【００３６】
上部筐体２は、正面視が横に長い略長方形をなし、側面視が略三角形をなす略楔形である。上部筐体２の正面には、略長方形の枠状をなし、枠内にスクリーン６が固定された前面枠４が図示しないネジを用いて固定されている。また、上部筐体２の背面は外側へ若干湾曲させてあり、内側に後述する固定金具を用いて鏡２０が固定されている。また、上部筐体２は、底面を下部筐体３の傾斜した上面に接触した状態でネジを用いて固定される。上部筐体２の底面及び下部筐体３の上面には、形状及び大きさが略等しい開口１１及び開口１２がそれぞれ形成され、下部筐体３内の投射レンズ７から投射された映像が上部筐体２内の鏡２０にて反射され、スクリーン６の背面に投射されるようにしてある。
【００３７】
図２は、本発明に係るリアプロジェクタの上部筐体２の正面図であり、前面枠４を取り外した状態を図示してある。図３は、本発明に係るリアプロジェクタの上部筐体２に対する鏡２０の下部の固定構造を示す分解斜視図であり、図４は、本発明に係るリアプロジェクタの上部筐体２に対する鏡２０の下部の固定構造を示す側断面図である。なお、図３及び図４では、鏡２０の下部近傍のみを拡大して図示し、その他の部分は図示を省略する。
【００３８】
映像を反射してスクリーン６の背面に投射するための鏡２０は、上辺が下辺より長い略台形をなす。鏡２０は、上部筐体２の背面内側に、上辺を上側固定金具３１により固定され、左右の辺をそれぞれ左側固定金具３２及び右側固定金具３３により固定され、下辺を第１固定金具４０及び第２固定金具５０により固定されている。
【００３９】
上側固定金具３１、左側固定金具３２及び右側固定金具３３は、鏡２０の対応する各辺の長さより若干短い導電性を有する金属部材である。また、上側固定金具３１、左側固定金具３２及び右側固定金具３３は、鏡２０を挟持する断面略コ字型の挟持部と、挟持部の外側の屈曲部分から延出し、ネジの軸部が挿通するための貫通孔が形成されたネジ固定板部とを有する断面略ｈ型をなし、鏡２０をそれぞれ挟持した状態で上部筐体２にネジ（図示せず）により固定される。
【００４０】
第１固定金具４０は、鏡２０の下辺より短い略長方形の板状の基部４１と、基部４１より長辺及び短辺が共に小さく、基部４１と対向して配される２つの略長方形の対向板部４２、４２と、基部４１の一長辺及び対向板部４２、４２の一長辺に、それぞれの対向面に略垂直に固定され、基部４１及び対向板部４２、４２を連結する連結板部４３、４３とを備えている。更に、基部４１及び対向板部４２、４２の間の距離は、鏡２０の厚さより若干大きい程度であり、対向板部４２、４２の基部４１と対向する面には、複数の略半球状の突起部４５が形成されている。また、第１固定金具４０は、基部４１の両短辺から対向板部４２、４２が配された側の反対側へ、基部４１に直交するように固定された略半円形の側板部４４、４４を備えている。
【００４１】
第２固定金具５０は、鏡２０の下辺より長い略長方形の板状部材を、長辺方向と平行に３箇所で屈曲したものである。第２固定金具５０は、一側の長辺に沿って９０°程度屈曲され（第１の屈曲位置５１）、第１の屈曲位置５１より中央側で、第１の屈曲位置５１での屈曲方向と反対方向に４５°程度屈曲され（第２の屈曲位置５２）、第２の屈曲位置５２と他側の長辺との間で、第１の屈曲位置５１での屈曲方向と同方向に６０°程度屈曲されている（第３の屈曲位置５３）。なお、以下では、第２固定金具５０の一側の長辺と第１の屈曲位置５１との間の部分を第１の面５５といい、第１の屈曲位置５１と第２の屈曲位置５２との間の部分を第２の面５６といい、第２の屈曲位置５２と第３の屈曲位置５３との間の部分を第３の面５７といい、第３の屈曲位置５３と他側の長辺との間の部分を第４の面５８という。また、第３の面５７には、長辺方向の両端近傍にそれぞれ貫通孔５４、５４が穿設されており、貫通孔５４、５４をそれぞれネジ６２、６２が挿通して第２固定金具５０を上部筐体２に固定するようにしてある。
【００４２】
上部筐体２の背面内側の下部には、上部筐体２の左右方向の中央に、第１固定金具４０の長辺方向の長さと同程度の幅の間に、一定の間隔で複数枚の板状のリブ６３（図４に１枚のみ図示してある）が突設されている。リブ６３は略矩形の板であり、一辺部分に切り欠き６３ａが形成され、切り欠き６３ａが上部筐体２の正面側となるように突設される。また、複数枚のリブ６３を間にして上部筐体２の左右方向に、複数枚のリブ６３の両側にはそれぞれ円柱突起６４（図４に１つのみ図示してある）が突設されており、円柱突起６４の突出端にはネジ６２、６２と螺合するネジ穴が形成されている。
【００４３】
鏡２０を上部筐体２に固定する場合には、まず、鏡２０の下辺部分を第１固定金具４０の基部４１及び対向板部４２、４２の間に差し込む。これにより、鏡２０の表面は対向板部４２、４２の突起部４５が接触し、裏面には基部４１が接触し、下縁部分は連結板部４３、４３に接触して、基部４１及び対向板部４２、４２に挟持されるようにしてある。また、鏡２０の上辺及び左右の辺にはそれぞれ、上側固定金具３１、左側固定金具３２及び右側固定金具３３を取り付ける。
【００４４】
次いで、鏡２０を、第１固定金具４０が上部筐体２のリブ６３に形成された切り欠き６３ａに収まるように、上部筐体２の背面内側に設置する。更に、第２固定金具５０の第１の面５５が、第１固定金具４０の対向板部４２、４２の外側の面に当接し、第１の面５５及び第２の面５６がリブ６３の切り欠き６３ａに収まるように、第２固定金具５０を上部筐体２に取り付ける。なお、この状態では、第２固定金具５０の第３の面５７はリブ６３の一辺部分に当接し、第４の面５８は上部筐体２の底面に当接するようにしてある。
【００４５】
次いで、第２固定金具５０の貫通孔５４、５４を通して、ネジ６２、６２を上部筐体２の円柱突起６４に形成されたネジ穴に螺合させ、第２固定金具５０を上部筐体２に固定する。第２固定金具５０を上部筐体２に固定することにより、第１固定金具４０は第２固定金具５０及びリブ６３の間に挟まれ、上部筐体２に対して不動に固定される。また、鏡２０の上辺及び左右の辺をそれぞれ挟持する上側固定金具３１、左側固定金具３２及び右側固定金具３３を、上部筐体２にそれぞれネジ止めして固定する。これらの金具による固定により、鏡２０は四方を上部筐体２に不動に固定される。
【００４６】
このとき、第２固定金具５０を固定する２つのネジ６２、６２のいずれか一方は、卵形の金属板に貫通孔が形成された卵ラグ６０を挿通し、その後に第２固定金具５０の貫通孔を挿通して、上部筐体２の円柱突起６４のネジ穴に螺合させるようにしてある。卵ラグ６０にはリード線６１の一端がはんだ付けされており、図示は省略するが、リード線６１は、上部筐体２の開口１１及び下部筐体３の開口１２を通して、下部筐体３内の金属シャーシ５にはんだ付け又はネジ止め等の手段により接続される。
【００４７】
金属シャーシ５は接地電位に接続されているため、リード線６１を介して卵ラグ６０が接地電位に接続され、卵ラグ６０に接触する第２固定金具５０が接地電位に接続され、第２固定金具５０に接触する第１固定金具４０が接地電位に接続される。第１固定金具４０は鏡２０の表面に接触しているため、鏡２０の表面に帯電する静電気を、第１固定金具４０、第２固定金具５０、卵ラグ６０、リード線６１及び金属シャーシ５を介して接地電位に流すことができる。
【００４８】
上部筐体２の前面下部には、前面枠４を固定するための前面固定金具３５がネジにより固定されており、上部筐体２の前面に前面枠４が取り付けられた後、前面固定金具３５に前面枠４がネジにより固定されるようにしてある。また、鏡２０を上部筐体２に固定する第２固定金具５０と前面固定金具３５とは、２つの補強金具３６、３６により接続される。補強金具３６、３６は細長い矩形板状の金属部材であり、上部筐体２の底面に形成された開口１１を間にして開口１１の左右両側に、且つ、上部筐体２の底面に沿って前後方向に配設される。補強金具３６、３６の一端は第２固定金具５０にネジにより固定され、他端は前面固定金具３５にネジにより固定される。なお、第２固定金具５０とのネジによる固定は、ネジ６２、６２及び円柱突起６４のネジ穴を利用して行ってもよく、また、第２固定金具５０に別の貫通孔を形成し、ナットを用いて固定してもよい。第２固定金具５０及び前面固定金具３５を補強金具３６、３６により接続することで、第２固定金具５０による鏡２０及び第１固定金具４０の上部筐体２への固定をより強固に行うことができる。
【００４９】
図５は、鏡２０の構成を示す模式的断面図である。鏡２０は、厚さが約５ｍｍのガラスの裏面に、厚さ８０ｎｍ程度の銀メッキ膜を形成し、銀メッキ膜に厚さ４０ｎｍ程度の銅メッキ膜を形成し、更に銅メッキ膜に塗料を塗布して約５０μｍの塗料膜を形成した４層の構造である。ガラスの表面からの光は、ガラスを通過して銀メッキ膜にて反射される。銅メッキ膜及び塗料膜は、銀メッキ膜が酸化することを防止するためのものである。
【００５０】
以上の構成のリアプロジェクタにおいては、鏡２０を上部筐体２に固定する第１固定金具４０及び第２固定金具５０をリード線６１を介して接地電位に接続された金属シャーシ５に接続することにより、鏡２０の表面に帯電する静電気を接地電位に流すことができるため、鏡２０の表面に静電気によって塵埃が付着することを防止することができる。よって、スクリーン６に塵埃の影が投影されることがなく、投影される映像を高品質なものに保つことができる。
【００５１】
なお、本実施の形態においては、鏡２０の下辺部分を第１固定金具４０及び第２固定金具５０の２つの金具を用いて固定する構成を示したが、これに限るものではなく、上側固定金具３１、左側固定金具３２及び右側固定金具３３と同様に、１つの金具で固定する構成としてもよい。また、リード線６１を卵ラグ６０にはんだ付けする構成を示したが、これに限るものではなく、第１固定金具４０又は第２固定金具５０に直接はんだ付けする構成であってもよい。また、リード線６１を金属シャーシ５に接続する構成を示したが、これに限るものではなく、例えば電源ユニット９の接地電位に接続してもよく、制御回路部１０の接地配線に接続してもよい。
【００５２】
（変形例１）  図６は、本発明の変形例１に係るリアプロジェクタの鏡の構成を示す模式的断面図である。変形例１に係る鏡は、厚さが数ｍｍ程度の鉄又は銅等の金属板の表面に、厚さが数十ｎｍ程度の金属膜を形成したものである。金属膜はアルミ又は銀等の光の反射率の高いものを用いる。この鏡は表面に金属膜が形成されており、第１固定金具４０と表面の金属膜とが接触するため、金属膜が第１固定金具４０、第２固定金具５０、卵ラグ６０、リード線６１及び金属シャーシ５を介して接地される。導電性を有する金属膜が表面に形成されているため、表面がガラス板の通常の鏡と比較して、表面に帯電する静電気をより接地電位に流しやすい。
【００５３】
なお、図６においては、金属板の表面に金属膜を形成する構成を示したが、これに限るものではなく、ガラス板又は合成樹脂製の板等の表面に金属膜を形成する構成であってもよい。また、金属板の表面のみに金属膜を形成する構成を示したが、これに限るものではなく、金属板の裏面及び周囲側面にも金属膜を形成する構成であってもよい。
【００５４】
（変形例２）  図７は、本発明の変形例２に係るリアプロジェクタの固定金具の接地構成を示す模式的正面図である。鏡２０は、図２に示す構造と同様に、上辺を上側固定金具３１により上部筐体２に固定され、左右の辺をそれぞれ左側固定金具３２及び右側固定金具３３により固定され、下辺を第１固定金具４０（図７においては図示を省略する）及び第２固定金具５０により固定される。上側固定金具３１、左側固定金具３２、右側固定金具３３、第１固定金具４０及び第２固定金具５０は、導電性を有する金属製である。
【００５５】
上側固定金具３１は、リード線７２により右側固定金具３３に接続され、右側固定金具３３はリード線７１により第２固定金具５０に接続される。また、左側固定金具３２は、リード線７３により第２固定金具５０に接続される。よって、上側固定金具３１、左側固定金具３２、右側固定金具３３、第１固定金具４０及び第２固定金具５０は、全て電気的に接続され、第２固定金具５０はリード線６１により接地電位に接続されるため、全ての固定金具が接地電位に接続される。
【００５６】
これにより、鏡２０の表面に帯電する静電気は、鏡２０の四方を固定する固定金具から接地電位へ流すことができるため、第２固定金具５０のみを接地する場合と比較して、より鏡２０の表面に塵埃が付着しにくくなる。
【００５７】
なお、変形例２においては、全ての固定金具を接地する構成を示したが、これに限るものではなく、左側固定金具３２及び右側固定金具３３のみを第２固定金具５０に接続して接地する構成であってもよく、上側固定金具３１のみを第２固定金具５０に接続して接地する構成であってもよい。また、それぞれの固定金具をリード線７１、７２、７３を用いて接続する構成を示したが、これに限るものではなく、各金具を直接接触させる構成であってもよく、他の導電性を有する部材を介して接続する構成であってもよい。
【図面の簡単な説明】
【００５８】
【図１】本発明に係るリアプロジェクタの構成を示す模式的側断面図である。
【図２】本発明に係るリアプロジェクタの上部筐体の正面図である。
【図３】本発明に係るリアプロジェクタの上部筐体に対する鏡の下部の固定構造を示す分解斜視図である。
【図４】本発明に係るリアプロジェクタの上部筐体に対する鏡の下部の固定構造を示す側断面図である。
【図５】鏡の構成を示す模式的断面図である。
【図６】本発明の変形例１に係るリアプロジェクタの鏡の構成を示す模式的断面図である。
【図７】本発明の変形例２に係るリアプロジェクタの固定金具の接地構成を示す模式的正面図である。
【符号の説明】
【００５９】
１  筐体
２  上部筐体
３  下部筐体
４  前面枠
５  金属シャーシ（接地部）
６  スクリーン
７  投射レンズ
８  光学ユニット（光学エンジン）
９  電源ユニット
１０  制御回路部
２０  鏡
３１  上側固定金具（他の固定部材）
３２  左側固定金具（他の固定部材）
３３  右側固定金具（他の固定部材）
３５  前面固定金具
３６  補強金具
４０  第１固定金具（第１の固定部材）
５０  第２固定金具（第２の固定部材）
６０  卵ラグ
６１、７１、７２、７３  リード線（接地部材）
６２  ネジ
６３  リブ
６４  円柱突起
【図１】
2007101889.tif 000003
【図２】
2007101889.tif 000004
【図３】
2007101889.tif 000005
【図４】
2007101889.tif 000006
【図５】
2007101889.tif 000007
【図６】
2007101889.tif 000008
【図７】
2007101889.tif 000009